(57)【要約】      （修正有）【課題】商品に付された２次元コード等を収集したユーザに特別な情報を提供することで商品の購買意欲を高めるコンテンツ取得装置、コンテンツ取得方法及びコンテンツ取得プログラムを提供する。【解決手段】まず、ＱＲコードが撮影されて、ＱＲコードが認識され、撮影されたＱＲコードがマルチ属性を有すると判断された場合、ＱＲコードから識別情報が読み取られて、ＱＲコードを収集済みである旨のフラグがコード収集部に書き込まれる。その次にプレミアムコンテンツを取得するために必要なＱＲコードが揃っていない場合には、携帯電話機の表示部にＱＲコードの収集状況画面が表示される。一方、プレミアムコンテンツを取得するために必要なＱＲコードが揃った場合には、携帯電話機の表示部にプレミアムコンテンツの取得が許可された旨のメッセージが表示される。【選択図】図５
2006092350.tif 000002
【特許請求の範囲】
【請求項１】
商品又は商品の包装に付された２次元コードの画像を入力する画像入力手段と、
前記画像入力手段によって入力された２次元コードの画像、又は前記２次元コードから抽出されたコード情報を記憶する記憶手段と、
前記記憶手段において所定の２次元コード画像群又はコード情報群が収集された際に、プレミアムコンテンツを取得するためのコンテンツ取得情報を生成するコンテンツ取得情報生成手段と、
前記コンテンツ取得情報を用いてプレミアムコンテンツを取得するコンテンツ取得手段と、
を備えることを特徴とするコンテンツ取得装置。
【請求項２】
前記２次元コード画像群の収集状況を表示する表示手段を更に備えることを特徴とする請求項１記載のコンテンツ取得装置。
【請求項３】
（ａ）  商品又は商品の包装に付された２次元コードの画像を入力するステップと、
（ｂ）  前記入力された２次元コードの画像、又は前記２次元コードから抽出されたコード情報を記憶するステップと、
（ｃ）  前記ステップ（ａ）からステップ（ｂ）を繰り返して、所定の２次元コード画像群又はコード情報群が収集された際に、プレミアムコンテンツを取得するためのコンテンツ取得情報を生成するステップと、
（ｄ）  前記コンテンツ取得情報を用いてプレミアムコンテンツを取得するステップと、
を備えることを特徴とするコンテンツ取得方法。
【請求項４】
商品又は商品の包装に付された２次元コードの画像を入力する機能と、
前記入力された２次元コードの画像、又は前記２次元コードから抽出されたコード情報を記憶する機能と、
所定の２次元コード画像群又はコード情報群が収集された際に、プレミアムコンテンツを取得するためのコンテンツ取得情報を生成する機能と、
前記コンテンツ取得情報を用いてプレミアムコンテンツを取得する機能と、
をコンピュータに実現させることを特徴とするコンテンツ取得プログラム。
【発明の詳細な説明】
【技術分野】
【０００１】
本発明はコンテンツ取得装置、コンテンツ取得方法及びコンテンツ取得プログラムに係り、特に２次元コードを用いてコンテンツを取得するコンテンツ取得装置等に関する。
【背景技術】
【０００２】
従来、バーコードを読み取って画像や文字などのコンテンツを配信する情報システムが考案されている。例えば、特許文献１の情報提供システムは、バーコードが印刷されたカード、葉書、ポスター、雑誌などの表示媒体と、バーコードを読み取るバーコードリーダと、読み取られた情報を送信し、返送された情報を表示・出力する端末装置と、端末装置と通信ネットワークを介して接続しバーコードに対応する情報を保存・蓄積する配信情報データベースと、カードなどの表示媒体の作成を申し込む手段と、返送する情報をデータベースに登録・保存する手段と、バーコードに対応する情報を端末装置に送信する手段と、ユニークなバーコードの生成手段とを備えている。
【０００３】
また、１次元バーコード又は２次元コードを利用して懸賞応募を行うシステムが考案されている。例えば、特許文献２には、商品または商品の包装に付された情報を取得して所定の送信先に送信することにより、前記商品に対して行われている懸賞への応募を支援する懸賞応募支援システムであって、商品毎に異なる固有の商品識別情報および商品に対して行われている懸賞を示す懸賞情報を示す表示が付された商品または商品の包装から前記表示を読み取る表示読取手段と、前記表示読取手段によって読み取られた表示が示す商品識別情報および懸賞情報を所定の送信先に送信する識別情報送信手段と、前記商品識別情報および前記懸賞情報を受信すると、前記懸賞情報が示す懸賞への応募に必要な処理を前記商品識別情報に基づいて行う懸賞応募処理手段とを備える懸賞応募支援システムについて開示されている。
【特許文献１】特開２００２−３１２２６９号公報
【特許文献２】特開２００３−１５０７４５号公報（請求項２、段落００３６〜００４０等）
【発明の開示】
【発明が解決しようとする課題】
【０００４】
上記特許文献１に開示された情報提供システムにおいては、各バーコードは別々の情報に対応しており相互の関係はない。
【０００５】
また、上記特許文献２には、バーコードリーダが接続された携帯電話機により商品やその包装に付されたバーコードを読み取って懸賞管理サーバに送信して蓄積していき、バーコードの数が応募受付条件の数値に達した場合に、一口の懸賞応募として受け付けられる態様について開示されている。しかしながら、特許文献２に開示された懸賞応募支援システムは、懸賞への応募に限定されており、また、バーコードが蓄積されるのが懸賞管理サーバである等、本発明とは課題及び構成を異にする。
【０００６】
本発明はこのような事情に鑑みてなされたもので、商品に付された２次元コード等を収集したユーザに特別な情報を提供することで商品の購買意欲を高めるコンテンツ取得装置、コンテンツ取得方法及びコンテンツ取得プログラムを提供することを目的とする。
【課題を解決するための手段】
【０００７】
上記目的を達成するために請求項１に係るコンテンツ取得装置は、商品又は商品の包装に付された２次元コードの画像を入力する画像入力手段と、前記画像入力手段によって入力された２次元コードの画像、又は前記２次元コードから抽出されたコード情報を記憶する記憶手段と、前記記憶手段において所定の２次元コード画像群又はコード情報群が収集された際に、プレミアムコンテンツを取得するためのコンテンツ取得情報を生成するコンテンツ取得情報生成手段と、前記コンテンツ取得情報を用いてプレミアムコンテンツを取得するコンテンツ取得手段とを備えることを特徴とする。
【０００８】
請求項１に係るコンテンツ取得装置によれば、商品に付されたバーコードを収集したユーザにプレミアムコンテンツを提供することにより、商品の購買意欲を高めることができる。
【０００９】
請求項２に係るコンテンツ取得装置は、請求項１において、前記２次元コード画像群の収集状況を表示する表示手段を更に備えることを特徴とする。
【００１０】
請求項２に係るコンテンツ取得装置によれば、ユーザはバーコードの収集状況を確認することにより、どのＱＲコードを集めればよいか認識することができるため、特定の商品の販売促進に利用できる。
【００１１】
請求項３に係るコンテンツ取得方法は、（ａ）商品又は商品の包装に付された２次元コードの画像を入力するステップと、（ｂ）前記入力された２次元コードの画像、又は前記２次元コードから抽出されたコード情報を記憶するステップと、（ｃ）前記ステップ（ａ）からステップ（ｂ）を繰り返して、所定の２次元コード画像群又はコード情報群が収集された際に、プレミアムコンテンツを取得するためのコンテンツ取得情報を生成するステップと、（ｄ）前記コンテンツ取得情報を用いてプレミアムコンテンツを取得するステップとを備えることを特徴とする。
【００１２】
また、請求項４に係るコンテンツ取得プログラムは、商品又は商品の包装に付された２次元コードの画像を入力する機能と、前記入力された２次元コードの画像、又は前記２次元コードから抽出されたコード情報を記憶する機能と、所定の２次元コード画像群又はコード情報群が収集された際に、プレミアムコンテンツを取得するためのコンテンツ取得情報を生成する機能と、前記コンテンツ取得情報を用いてプレミアムコンテンツを取得する機能とをコンピュータに実現させることを特徴とする。
【００１３】
請求項４に係るコンテンツ取得プログラムは、ユーザの携帯電話機等のファームウェアとして提供することができる。
【発明の効果】
【００１４】
本発明によれば、商品に付されたバーコードを収集したユーザにプレミアムコンテンツを提供することにより、商品の購買意欲を高めることができる。
【発明を実施するための最良の形態】
【００１５】
以下、添付図面に従って本発明に係るコンテンツ取得装置、コンテンツ取得方法及びコンテンツ取得プログラムの好ましい実施の形態について説明する。
【００１６】
図１は、本発明の一実施形態に係るコンテンツ取得装置を含むコンテンツ提供システムを模式的に示す図である。図１に示すコンテンツ提供システム１０は、音声や静止画、動画等のコンテンツへのアクセス情報が埋め込まれた２次元コード（ＱＲコード）１２が画像１４とともにプリントされた写真プリント１６を販売するためのものであり、コンテンツ提供サーバ１８と、コンテンツ取得装置（カメラ付き携帯電話機。以下の説明では、単に携帯電話機という）２０とを含んでいる。なお、携帯電話機２０の構成については、図３を参照して後述する。
【００１７】
図２は、コンテンツ提供サーバ１８を示すブロック図である。図２に示すように、コンテンツ提供サーバ１８は、ユーザ端末（ＰＣ等）２２からアップロードされる画像のプリント注文を行うためのものであり、制御部２４と、Ｗｅｂサーバ２６と、認証部２８と、コンテンツデータベース（ＤＢ）３０と、管理データベース（ＭＤＢ）３２と、音声再生アプリ作成部３４と、コード発行部３６等を備えている。
【００１８】
制御部（ＣＰＵ）２４は、コンテンツ提供サーバ１８内の各部とバス３８を介して接続されており、各部の動作制御を行う。
【００１９】
Ｗｅｂサーバ２６は、ユーザ端末２２のブラウザに入力されたＵＲＬ（Uniform Resource Locator）によって特定されるＷｅｂページをユーザ端末２２に送信する。
【００２０】
認証部２８は、ユーザ端末２２から上記のＷｅｂページの入力フォームに入力されたユーザ識別情報（ユーザＩＤ及びパスワード）によりユーザ端末２２のコンテンツ提供サーバ１８への接続を認証する。なお、本実施形態においては、ユーザ端末２２からの接続の認証に用いられるユーザ識別情報は、ユーザＩＤ及びパスワードのほか、生体認証情報（例えば、指紋情報）等やこれらの組み合わせであってもよい。
【００２１】
コンテンツＤＢ３０には、ユーザ端末２２からコンテンツ提供サーバ１８にアップロードされる画像と合成するためのテンプレート画像、及びテンプレート画像と関連付けられたテンプレート音声ファイルを含むテンプレート情報が記憶される。
【００２２】
ＭＤＢ３２には、認証部２８によって認証されたユーザ端末２２から画像が送信された際に、ユーザＩＤや画像等の注文情報が記憶される。そして、ユーザ端末２２によってコンテンツＤＢ３０からテンプレートが選択され、テンプレート画像及びテンプレート音声ファイルと画像が合成された合成画像が作成される。音声再生アプリ作成部３４は、この合成画像に含まれる音声を再生する携帯電話機２０用のアプリケーション（以下の説明では、音声再生アプリという）を作成する。この音声再生アプリはＷｅｂサーバ２６に格納される。
【００２３】
コード発行部３６は、音声再生アプリの格納場所を示すＵＲＬや、電話音声の再生を行う録音音声再生センタの電話番号並びに再生すべき電話音声の識別子が記述されたＷｅｂページのＵＲＬ等を含むＱＲコードを発行する。このＱＲコード１２は、図示せぬプリンタにより合成画像１４とともにプリントされてプリント１６がユーザに送付される。
【００２４】
また、本実施形態のコンテンツ提供サーバ１８においては、ユーザが所望の音声を録音して画像と合成することもできる。図２に示すように、コンテンツ提供サーバ１８は、通信部４０と、録音部４２と、音声ファイル変換部４４と、再生部４６とを備えている。
【００２５】
通信部４０は、移動体電話通信網の基地局と通信して、コンテンツ提供サーバ１８と携帯電話機２０との間で通話音声や各種データの送受信を行う通信インターフェースである。通信部４０には所定の電話番号が付されている。
【００２６】
録音部４２は、携帯電話機２０やその他の各種電話機（固定電話等）から着信した音声を録音する装置である。
【００２７】
音声ファイル変換部４４は、録音部４２によって録音された音声をユーザ端末２２で再生可能なフォーマットの音声ファイル（例えば、ｗａｖファイル等）に変換する装置である。音声ファイル変換部４４によって変換された音声ファイルはコンテンツＤＢ３０に出力されて記憶される。
【００２８】
再生部４６は、通信部４０を介して携帯電話機２０等から入力されたプッシュトーン信号により録音／再生の指示を受け付け、コンテンツＤＢ３０の音声ファイルを再生して、通信部４０を介して所定の電話番号に着信した携帯電話機２０等に音声を送信する。
【００２９】
図３は、携帯電話機２０の主要構成を示すブロック図である。図３に示す携帯電話機２０は、ＣＰＵ５０と、通信Ｉ／Ｆ５２と、操作部５４と、カメラ５６と、表示部５８と、スピーカ６０と、マイク６２と、メモリ６４と、コードリーダ６６とを備える。
【００３０】
ＣＰＵ５０は、携帯電話機２０内の各部とバス６８を介して接続されており、各部の動作制御を行う。通信Ｉ／Ｆ５２は所定のプロトコルにしたがってネットワークを介して通信するためのインターフェースであり、操作部５４はユーザの操作入力を受け付けるボタン等である。
【００３１】
カメラ５６は画像を撮影するための装置であり、表示部５８はカメラ５６によって撮影された画像やコンテンツ提供サーバ１８より送信されたコンテンツの表示するモニタである。また、スピーカ６０は通話時やコンテンツ再生時に音声を出力する装置であり、マイク６２は通話時や音声録音時に音声を入力する装置である。
【００３２】
メモリ６４は、ＣＰＵ５０が処理するプログラム及び制御に必要な各種データ等が格納されるＲＯＭや、カメラ５６によって撮影された画像が記憶される記憶領域及びＣＰＵ５０が各種の演算処理等を行う作業用領域となるＳＤＲＡＭ等を含んでいる。また、メモリ６４は、カメラ５６によって撮影されたＱＲコードを収集するコード収集部６４ａを備えている。
【００３３】
コードリーダ６６は、カメラ５６によってＱＲコードが撮影された際に、ＱＲコードに埋め込まれている情報を読み取る装置である。なお、本明細書では簡略のため、２次元コードとＱＲコードを同視して説明するが、ＱＲコードの代わりにＰＤＦ４１７・データコード・マキシコードなどの各種２次元コードを用いてもよい。携帯電話機２０がバーコードを読み取る手段を備えていれば２次元コードの代わりにバーコードを用いてもよい。
【００３４】
次に、コンテンツの取得方法について、図４〜図７を参照して説明する。図４は、通常のコンテンツの取得方法を示すフローチャートである。
【００３５】
まず、携帯電話機２０のカメラ５６によってプリント１６のＱＲコード１２が撮影されると（ステップＳ１０）、ＱＲコード１２に埋め込まれたＵＲＬがコードリーダ６６によって読み取られる（ステップＳ１２）。
【００３６】
次に、ステップＳ１２において読み取られるＵＲＬによって特定されるＷｅｂサイトにアクセスされると（ステップＳ１４）、コンテンツ提供サーバ１８へのアクセスが初めてであるかどうか判断される（ステップＳ１６）。ステップＳ１６において、コンテンツ提供サーバ１８へのアクセスが初めてである場合、音声再生アプリがダウンロードされ（ステップＳ１８）、コンテンツＤＢ３０から音声ファイルがダウンロードされて再生される（ステップＳ２０）。
【００３７】
図５は、本発明の一実施形態に係るプレミアムコンテンツの取得方法を示すフローチャートである。なお、以下に説明するＱＲコード１２の収集プロセスは、音声再生アプリに含まれる付加機能として提供することができる。
【００３８】
まず、ＱＲコード１２が撮影されて（ステップＳ１０）、ＱＲコード１２が認識されると（ステップＳ３０）、撮影されたＱＲコード１２がマルチ属性を有するかどうか判断される（ステップＳ３２）。次に、ステップＳ３２においてＱＲコード１２がマルチ属性を有すると判断された場合には、ＱＲコード１２から識別情報が読み取られて（ステップＳ３４）、ＱＲコード１２を収集済みである旨のフラグがコード収集部６４ａに書き込まれる（ステップＳ３６）。
【００３９】
その次に、プレミアムコンテンツを取得するために必要なＱＲコード１２がすべて収集されたかどうか判断される（ステップＳ３８）。ステップＳ３８において、プレミアムコンテンツを取得するために必要なＱＲコード１２が揃っていない場合には、携帯電話機２０の表示部５８にＱＲコード１２の収集状況画面が表示される（ステップＳ４０）。
【００４０】
図６は、ＱＲコード収集状況画面の例を示す図である。ＱＲコード収集状況画面７０は、コード収集部６４ａに記憶されたマルチ属性を有するＱＲコード１２の収集状況を示す画面であり、３×３の収集状況テーブル７２の中に収集されたＱＲコード１２が表示されている。
【００４１】
図６に示す例では、収集状況テーブル７２の「１」と「６」のマスが埋まっているためプレミアムコンテンツを取得するためにはあと７つのＱＲコード１２を収集する必要がある。
【００４２】
なお、図６の例では、プレミアムコンテンツの取得に必要なＱＲコード１２の個数は９つであるが、本発明はこれに限定されるものではない。また、ＱＲコード１２を全部揃えなくても、例えば、ビンゴゲームのように、収集状況テーブル７２の縦横斜めのいずれかの列（例えば、縦の列「１」・「４」・「７」や、横の列「１」・「２」・「３」、斜め「１」・「５」・「９」等の列）が埋まった際に、埋まったマスに応じたプレミアムコンテンツが取得できるようにしてもよい。
【００４３】
一方、ステップＳ３８において、プレミアムコンテンツを取得するために必要なＱＲコード１２が揃った場合には、プレミアムコンテンツの取得が許可された旨のメッセージとともに、プレミアムコンテンツにアクセスするためのＵＲＬや電話番号等のコンテンツ取得情報が携帯電話機２０の表示部５８に表示される（ステップＳ４２）。
【００４４】
図７は、プレミアムコンテンツを取得するために必要なＱＲコード１２が揃った場合の表示の例を示す図である。図７に示すように、携帯電話機２０の表示部５８にプレミアムコンテンツの取得が許可された旨のメッセージが表示され、プレミアムコンテンツにアクセスするためのＵＲＬや電話番号等のコンテンツ取得情報が表示される。これにより、プレミアムコンテンツを取得することができる。
【００４５】
なお、本実施形態においては、プレミアムコンテンツの取得にＱＲコード１２が付された写真プリント１６を用いたが、本実施形態はこれに限定されるものではなく、ＱＲコードを付すことのできる任意の商品の販売システムにおいて利用することができる。
【図面の簡単な説明】
【００４６】
【図１】本発明の一実施形態に係るコンテンツ取得装置を含むコンテンツ提供システムを模式的に示す図
【図２】コンテンツ提供サーバ１８を示すブロック図
【図３】コンテンツ取得装置（カメラ付き携帯電話機）２０の主要構成を示すブロック図
【図４】通常のコンテンツの取得方法を示すフローチャート
【図５】本発明の一実施形態に係るプレミアムコンテンツの取得方法を示すフローチャート
【図６】ＱＲコード収集状況画面の例を示す図
【図７】プレミアムコンテンツを取得するために必要なＱＲコード１２が揃った場合の表示の例を示す図
【符号の説明】
【００４７】
１０…コンテンツ提供システム、１２…２次元コード（ＱＲコード）、１４…画像、１６…写真プリント、１８…コンテンツ提供サーバ、２０…コンテンツ取得装置（カメラ付き携帯電話機）、２２…ユーザ端末、２４…制御部、２６…Ｗｅｂサーバ、２８…認証部、３０…コンテンツデータベース（ＤＢ）、３２…管理データベース（ＭＤＢ）、３４…音声再生アプリ作成部、３６…コード発行部、３８…バス、４０…通信部、４２…録音部、４４…音声ファイル変換部、４６…再生部、５０…ＣＰＵ、５２…通信Ｉ／Ｆ、５４…操作部、５６…カメラ、５８…表示部、６０…スピーカ、６２…マイク、６４…メモリ、６４ａ…コード収集部、６６…コードリーダ、６８…バス、７０…ＱＲコード収集状況画面、７２…収集状況テーブル
【図１】
2006092350.tif 000003
【図２】
2006092350.tif 000004
【図３】
2006092350.tif 000005
【図４】
2006092350.tif 000006
【図５】
2006092350.tif 000007
【図６】
2006092350.tif 000008
【図７】
2006092350.tif 000009